(57)【要約】【課題】使い勝手が向上した紐収納容器を提供する。【解決手段】紐収納容器は，中空円筒形に巻かれた紐を収納する紐収納容器において，上部が開口した容器本体と，容器本体の上部開口部分を開閉可能な嵌合状態で覆う蓋部と，中空円筒形の紐をその中空中心軸回りに回転可能として容器本体内に支持される軸体とを備え，中空円筒形の紐の半径方向に面する容器本体の側面に，中空円筒形の半径方向に引き出された紐を外部に取り出すための孔部が設けられる。【選択図】図１
2013244978.tif 000002
【特許請求の範囲】
【請求項１】
中空円筒形に巻かれた紐を収納する紐収納容器において，
上部が開口した容器本体と，
前記容器本体の上部開口部分を開閉可能な嵌合状態で覆う蓋部と，
中空円筒形の紐をその中空中心軸回りに回転可能として前記容器本体内に支持される軸体とを備え，
前記中空円筒形の紐の半径方向に面する前記容器本体の側面に，中空円筒形の半径方向に引き出された紐を外部に取り出すための孔部が設けられることを特徴とする紐収納容器。
【請求項２】
請求項１において，
前記蓋部の裏面に，中空円筒形の周面に沿った紐を前記孔部に誘導する誘導孔が設けられることを特徴とする紐収納容器。
【請求項３】
請求項１において，
前記容器本体又は蓋部に，その表面にはさみを接着するための磁石が取り付けられることを特徴とする紐収納容器。
【請求項４】
請求項１において，
それぞれ中空円筒形の紐をその中心軸回りに回転可能として前記容器本体に支持する複数の軸体が設けられ，当該複数の軸体は，それぞれの回転軸が直列となるように配置されることを特徴とする紐収納容器。
【請求項５】
請求項１において，
前記孔部の径は，前記紐の幅よりも狭いことを特徴とする紐収納容器。
【発明の詳細な説明】
【技術分野】
【０００１】
本発明は，中空円筒形に巻いてある市販の紐を，外部に引出可能に収納する紐収納容器に関する。
【背景技術】
【０００２】
紐がロール巻きされ，全体として中空円筒形状を形成する紐を収納する容器として，例えば下記特許文献に開示されるものが知られている。いずれも，紐により形成される中空円筒形の両側平面(端面)部分の一方が容器内部の底面に載置され，紐の巻き端（巻き始端又は巻き終端）を，容器の上面又は下面に設けられた開口部（孔部）から外部に引っ張り出すものである。
【先行技術文献】
【特許文献】
【０００３】
【特許文献１】特開平１０−１１４３４５号公報
【特許文献２】特開２０１０−９５２５８号公報
【特許文献３】特開２００４−９０９４４号公報
【特許文献４】特開２００４−１６１３６５号公報
【特許文献５】特開平７−２９１２９６号公報
【特許文献６】実開平６−１２７７号公報
【特許文献７】実公平７−４２９９８号公報
【特許文献８】実用新案登録第３１５６０９０号公報
【発明の概要】
【発明が解決しようとする課題】
【０００４】
本発明の目的は，上記従来の構成よりも使い勝手が向上した新規な構成の紐収納容器を提供することにある。
【課題を解決するための手段】
【０００５】
上記目的を達成するための本発明の構成は，中空円筒形に巻かれた紐を収納する紐収納容器において，上部が開口した容器本体と，容器本体の上部開口部分を開閉可能な嵌合状態で覆う蓋部と，中空円筒形の紐をその中空中心軸回りに回転可能として容器本体内に支持される軸体とを備え，中空円筒形の紐の半径方向に面する容器本体の側面に，中空円筒形の半径方向に引き出された紐を外部に取り出すための孔部が設けられることを特徴とする。
【０００６】
上記構成において，好ましくは，前記蓋部の裏面に，中空円筒形の周面に沿った紐を前記孔部に誘導する誘導孔が設けられる。また，好ましくは，容器本体又は蓋部に，その表面にはさみを接着するための磁石が取り付けられる。また，好ましくは，それぞれ中空円筒形の紐をその中心軸回りに回転可能として容器本体に支持する複数の軸体が設けられ，当該複数の軸体は，それぞれの回転軸が直列となるように配置される。また，好ましくは，孔部の径は，紐の幅よりも狭く構成される。
【発明の効果】
【０００７】
本発明の紐収納容器によれば，中空円筒形状に巻かれた紐をよりコンパクトに収納でき，さらに，よりスムースに紐を引き出すことができる。
【図面の簡単な説明】
【０００８】
【図１】本発明の実施の形態における紐収納容器（蓋部が閉状態）の概略斜視図である。
【図２】本発明の実施の形態における紐収納容器（蓋部が開状態）の概略斜視図である。
【図３】本発明の実施の形態における紐収納容器の側断面図である。
【発明を実施するための形態】
【０００９】
以下，図面を参照して本発明の実施の形態について説明する。しかしながら，かかる実施の形態例が，本発明の技術的範囲を限定するものではない。
【００１０】
図１及び図２は，本発明の実施の形態における紐収納容器の概略斜視図である。図３は，本実施の形態における紐収納容器の側断面図である。紐収納容器は，中空円筒形に巻かれた２つの紐１ａ，１ｂ（以下，紐１ａ，１ｂを区別しない場合は，紐１と総称する）を収納する紐収納容器１０であって，上部が開口した容器本体１１と，容器本体の上部開口部分を開閉可能な嵌合状態で覆う蓋部１２と，中空円筒形の紐１をその中心軸回りに回転可能として容器本体１１内に支持される軸体１３ａ，１３ｂ（以下，軸体１３ａ，１３ｂを区別しない場合は，軸体１３と総称する）とを備え，中空円筒形の紐１の半径方向に面する容器本体１１の側面１１ａに，中空円筒形の半径方向に引き出された紐１を外部に取り出すための孔部１４ａ，１４ｂ（以下，孔部１４ａ，１４ｂを区別しない場合は，孔部１４と総称する）が設けられる。
【００１１】
図１は蓋部１２が閉じた状態を示し，図２は蓋部１２が開けられた状態を示す。容器本体１１及び蓋部１２は，図示されるように，背面側のヒンジにて開閉可能に連結しており，例えば，プラスチック製の容器である。もちろん，木製や金属製など他の材料による容器であってもよい。
【００１２】
また，紐収納容器１０は，少なくとも１つの紐が収納可能であって，図に示す例では，２つの紐１ａ，１ｂを収納可能に構成され，中空円筒形の紐１ａ，１ｂの中心軸にそれぞれ軸体１３ａ，１３ｂが嵌合し，軸体１３ａ，１３ｂは，それぞれの回転軸が直列となるように容器本体１１内に配置される。
【００１３】
軸体１３ａの一端は，容器本体１０の中心軸方向の側面１１ｂ側で支持され，他端は，容器本体１０内における２つの紐１ａと１ｂの間に設けられた支持台１８に載置されて支持される。また，軸体１３ｂの一端は，容器本体１０の側面１１ｂの反対側の側面１１ｃ側で支持され，他端は，支持台１５によって支持される。すなわち，支持台１８は，軸体１３ａ，１３ｂに共通の支持手段である。さらに，容器本体１０の両側面側においては，図１及び図２に示されるように，側面１１ｂ，１１ｃに設けられた開口部に軸体１３ａ，１３ｂを通すことで，軸体１３ａ，１３ｂの一端側が支持される。側面１１ｂ，１１ｃに開口部を設けずに，両側面側に，上述の支持台を設けて，軸体１３ａ，１３ｂが支持されてもよい。
【００１４】
軸体１３は，その中心軸を中心にして，回転可能に支持されており，軸体１３に嵌合している紐１の巻き端を引くと，紐１は軸体１３とともに回転する。
【００１５】
紐１の巻き端は，容器本体１１の側面１１ａに設けられた孔部１４を貫通して、外部に出されている。孔部１４は，中空円筒形の紐１の半径方向に面する容器本体１１の側面１１ａに設けられており，孔部１４から外部に出ている紐１の巻き端を引くことで，容器本体１０内の紐１はその円筒形の周面に沿って回転しながら，孔部１４を通って，所望の長さまで外部に繰り出されていく。すなわち，紐１は，中空円筒形状における周面方向（半径方向）に引き出され，中空円筒形状におけるその頂面側又は底面側（厚さ方向又は高さ方向）に引き出される上述の従来構成の紐収納容器と異なる。
【００１６】
本実施の形態における紐収納容器では，紐１の円筒形状の周面の投影面が底部になるので，紐１をコンパクトに収納することができる。特に，複数の紐を並列に収納する場合も，容器本体の底面積が広がらず，容器を小型化することができる。さらに，紐１を孔部１４から引き出す際，紐１が容器本体１１内で回転するので，紐１をスムースに引き出すことができ，使い勝手が向上する。
【００１７】
好ましくは，蓋部１２の裏面には，中空円筒形の周面に沿った紐を孔部１４に誘導する誘導孔１５が設けられる。紐１を誘導孔１５に通すことで，容器本体１１内でも紐１の弛みなどを防止し，確実且つスムースな紐の繰り出しを可能とする。
【００１８】
また，容器本体１１又は蓋部１２の外側又は内側に，磁石１６が取り付けられてもよい。磁石１６には，はさみ１７が接着され，孔部１４から引き出された紐を切るのに用いられる。磁石に限らず，例えば，はさみ１７を収容可能なポケットが容器本体１１又は蓋部１２に設けられてもよい。
【００１９】
孔部１４は，その径が紐の幅よりも狭くなっており，紐を引き出す際に，幅広の紐が絞られるようにして引き出される。
【００２０】
新しい紐を収納する場合は，蓋部１２を開けて，軸体１３を取り出し，軸体１３に円筒形状の紐の中空部分を嵌合させ，軸体１３を支持部に戻し，紐１の巻き端を誘導孔１５に通して，孔部１４から外部に出し，蓋部１２を閉じる。また，収納されている紐を取り外す際も，蓋部１２を開けて，軸体１３を取り出し，それに嵌合している紐をはずす。
【００２１】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２２】
１（１ａ，１ｂ）：紐，  １０：紐収納容器，１１：容器本体，１２：蓋部，１３（１３ａ，１３ｂ）：軸体，１４（１４ａ，１４ｂ）：孔部，１５：誘導孔，１６：磁石，１７：はさみ、１８：支持台
【図１】
2013244978.tif 000003
【図２】
2013244978.tif 000004
【図３】
2013244978.tif 000005